(57)【要約】【課題】熱効率の向上を図ると共に手入れ性の良好なコンロを実現すること。【解決手段】中芯に向う炎口８を列設した環状バーナ６の上方に、外周から内周方向に向い、下方傾斜部１１から上方傾斜部１２に変曲する整流部１４を備えた二次空気整流体１０を設け、天板１の開口端部１８と二次空気整流体１０の内周部１５の内側との間隙を枠体５によって遮蔽するように構成している。これによって、上部の二次空気流２６により火炎２５を被加熱体の中央に集中させ、高い熱効率を確保することができると共に、煮汁の炎口８への落下を防止することができる。【選択図】  図１
2004309052.tif 000002
【特許請求の範囲】
【請求項１】
天板の開口部内に、中芯に向かって開口する複数の炎口を列設した環状のバーナを設け、該バーナの上方に外周から内周方向に向い、下方傾斜部から上方傾斜部に折曲する環状の二次空気整流体を設け、前記天板の前記開口部端と前記二次空気整流体の内周部端との間の間隙を環状の枠体によって遮蔽したコンロ。
【請求項２】
下方傾斜部から上方傾斜部に折曲している変曲部は、炎口の鉛直上の位置より内側に設けられた請求項１に記載のコンロ。
【請求項３】
二次空気整流体は、その外周部に下方に屈曲した下方屈曲部を有する請求項１または２に記載のコンロ。
【請求項４】
枠体の内周部は、二次空気整流体の内周部の内側に隙間を介して設けられた請求項１、２または３に記載のコンロ。
【請求項５】
枠体は、内側の内周部に向かって下方に傾斜してなる請求項１〜４のいずれか１項に記載のコンロ。
【請求項６】
枠体は、被加熱物を載置する五徳と一体で設けられた請求項１〜５のいずれか１項に記載のコンロ。
【請求項７】
バーナは、その炎が斜め上向きに噴出するように傾斜した燃焼面を有し、前記燃焼面に上下方向の縦長に開口するスリット状炎口を列設した請求項１に記載のコンロ。
【請求項８】
バーナは、環状に形成された上面部を有し、該上面部は外側に向かって傾斜した請求項７に記載のコンロ。
【発明の詳細な説明】
【０００１】
【発明の属する技術分野】
本発明は、ガス、石油等を燃料とするバーナを加熱源としたコンロに関するものである。
【０００２】
【従来の技術】
従来この種のコンロには、特許文献１に示すようなものがある。これは、図５に示されているように、天板６１の開口部６２の下方に、内周に炎口６３を有しかつ天板６１の開口部６２と同心に位置する環状の内炎式バーナ６４を備え、天板６１の開口部６２を通して炎口６３からの火炎６５を導くコンロにおいて、炎口６３からの火炎６５が天板６１の下方から上方に流れる際に、火炎６５を中心方向に導くための内側に向かって上方に傾斜する集合部６６と、この集合部６６によって中心方向に導かれた火炎６５を放射状に外方へ導くための外側に向かって上方に傾斜する拡散部６７を兼ね備えたガイド部材６８と、天板６１の開口部６２とガイド部材６８との間に形成される隙間６９を上方から覆うカバー部材７０を設け、カバー部材７０とガイド部材６８とを隙間を生じることなく接触させたというものである。
【０００３】
この構成では、カバー部材７０の集合部６６と拡散部６７によって、内炎式バーナ６４からの火炎を中央に向けて集中、上昇させたのち、外方に向けて上昇、拡散させると同時に、カバー部材７０によって天板６１の開口部６２とガイド部材６８の間に生じた隙間６９を被覆して煮汁の侵入を防止し、さらに、カバー部材７０とガイド部材６８を隙間無く接触させたことにより、火炎がカバー部材７０とガイド部材６８の間に周り込むことを防止するとしている。
【０００４】
【特許文献１】
特開平１１−２１１０８９号公報＜（０００２）〜（００１０）、第２図＞
【０００５】
【発明が解決しようとする課題】
しかしながら上記従来のコンロの場合には、内炎式バーナ６４からの火炎６５は、内側に向かって上方に傾斜させた集合部６６を設けているため、火炎６５は当初から斜め上向きとなり、その後外方に向かって上方に傾斜させた拡散部６７に沿って、斜め上向きに外方に拡散するように誘導されるので、火炎６５はガイド部材６８とカバー部材７０に沿うように近接して形成されるため、火炎６５の中央への集中度が不十分で、一定以上に熱効率を増大させることが困難であった。また、前記の火炎６５の近接により、カバー部材７０とガイド部材６８の間に隙間が存在すると、その隙間を通してカバー部材７０とガイド部材６８の間に火炎６５の一部が侵入することがあり、そのため、カバー部材７０とガイド部材６８を密着させることが不可欠であった。
【０００６】
一方、調理中に発生する煮こぼれなどから煮汁がカバー部材７０上に落下すると、内炎式バーナ６４の内径がカバー部材７０の内径よりも小さく設定されていても、カバー部材７０とガイド部材６８が密着している部分から、矢印の流れのようにガイド部材６８の下側に煮汁が伝播して、内炎式バーナ６４の炎口６３の直上から落下し、炎口６３内に煮汁が容易に侵入する場合があった。このような事態が累積すると、炎口６３の目詰まりが進行し、目詰まりしていない正常に開口している炎口６３にかかる燃焼量が増大し、結果として火炎長が長くなったり、ＣＯの発生量が増大することがあり、このような場合は、使用者が目詰まりした炎口６３を何らかの方法で清掃して、炎口６３の開口状態を復帰させる必要が生じるが、図示した内炎式バーナ６４のように炎口６３の奥行きが長いと炎口６３の清掃がしにくいという課題もあった。
【０００７】
本発明は、上記従来の課題を解決するもので、火炎の中央への集中を促進して熱効率を高めると同時に、煮こぼれから生じる煮汁がバーナの直上に落下して炎口を目詰まりさせる事態を極めて少なくして正常な燃焼状態を維持し、使用者がバーナの炎口を清掃しなければならないような事態を極めて少なくすることを可能にし、省エネルギー性と手入れ性の向上を同時に実現できるコンロを提供することを目的とする。
【０００８】
【課題を解決するための手段】
本発明は上記の目的を達成するために、天板の開口部内に、中央に向い開口する複数の炎口を列設した環状のバーナの上方に、外周から内周方向に、下方傾斜から上方傾斜に変曲する整流部を備えた環状の二次空気整流体を隔設し、天板の開口端部と二次空気整流体の内周部の内側に至る領域を上方から被覆する枠体を設けたものである。
【０００９】
上記の発明によれば、バーナの上方を流れる二次空気は、バーナからの火炎が中央に向かうことによって吸引され、二次空気整流体の外周側から内周側に向かって流入する。このとき、二次空気整流体は、外周から内周方向に下方傾斜部から上方傾斜部に変曲する整流部を構成したため、下方傾斜部を通過する二次空気流が下向きの傾向をもって流入するので、火炎の上向き化を抑えながら火炎を中央に集中させ、しかるのち変曲部を経て上方傾斜部によって火炎を中央に向けて上向き化させる。さらに、枠体は、天板の開口端部と二次空気整流体の内周部の内側に至る領域を上方から被覆しているため、枠体の内側で構成する空間を火炎が上昇通過して、火炎は外気中に拡散する。
【００１０】
したがって、火炎は二次空気整流体の内周部から距離をあけて中央に集中し易くなり、火炎と接触する鍋の受熱面積を拡大させることができ、熱効率を向上させることができる。したがって火炎は、二次空気整流体の内周部および枠体の内周部と火炎との距離を一定以上確保しながら流出するため、二次空気整流体の内周部および枠体の内周部の過熱を抑えることができ、枠体の内周部が二次空気整流体の内周部を被覆する部分に隙間を設けても、火炎が隙間に流入することはない。したがって、二次空気整流体の内周部を枠体の内周部が被覆する部分に隙間を設けると、煮こぼれが発生した時に、煮汁が枠体の内周部から二次空気整流体の内周部へ伝播することを防止し、煮汁がバーナの炎口内に侵入する事態を少なくして、炎口の目詰まりを減少させることができる。したがって、高い熱効率を確保しかつ手入れ性の良好なコンロを実現することができる。
【００１１】
【発明の実施の形態】
本発明の実施の形態は、天板の開口部内に、中央に向い開口する複数の炎口を列設した環状のバーナの上方に、外周から内周方向に、下方傾斜部から上方傾斜部に変曲する整流部を備えた環状の二次空気整流体を隔設し、天板の開口端部と二次空気整流体の内周部の内側に至る領域を上方から被覆する枠体を設けたことにより、バーナの上方を流れる二次空気は、バーナからの火炎が中央に向かうことで発生する負圧によって吸引され、二次空気整流体の外周側から内周側に向かって流入する。このとき、二次空気整流体は、外周から内周方向に下方傾斜部から上方傾斜部に変曲する整流部を構成したため、下方傾斜部を通過する二次空気流が下向きの傾向をもって流入するので、火炎の上向き化を抑えながら火炎を中央に集中させ、しかるのち変曲部を経て上方傾斜部によって火炎を中央に向けて上向き化させる。さらに、枠体は、天板の開口端部と二次空気整流体の内周部の内側に至る領域を上方から被覆しているため、枠体の内側で構成する空間を火炎が上昇通過して、火炎は外気中に拡散する。したがって、火炎は二次空気整流体の内周部および枠体の内周部から距離をあけて中央に集中し易くなり、火炎と接触する鍋の受熱面積を拡大させることができ、熱効率を向上することができる。したがって、火炎は、二次空気整流体の内周部および枠体の内周部と火炎との距離を一定以上確保しながら流出するため、二次空気整流体の内周部および枠体の内周部の過熱を抑えることができ、枠体の内周部が二次空気整流体の内周部を被覆する部分に隙間を設けても、火炎が隙間に流入することはない。さらに、二次空気整流体の内周部を枠体の内周部が被覆する部分に隙間を設けることで、煮こぼれが発生した時に、煮汁が枠体の内周部から二次空気整流体の内周部へ伝播することを防止し、煮汁がバーナの炎口内に侵入する事態を少なくして、炎口の目詰まりを減少させることができる。よつて、高い熱効率を確保しかつ手入れ性の良好なコンロを実現することができる。
【００１２】
また、二次空気整流体の変曲部を、バーナの炎口の鉛直上より内方の位置に設けたことにより、煮こぼれによる煮汁が、万一枠体の内周部から二次空気整流体の内周部に伝播しても、変曲部より外周側に伝播することはなく、変曲部から直下に落下させることができる。したがって、煮汁は炎口よりも内側の空間を落下するため、炎口内に煮汁が侵入することがなく、炎口の目詰まりを防止することができる。
【００１３】
また、二次空気整流体は、外周部に下方に屈曲させた下方屈曲部を構成したことにより、二次空気整流体の外周部の下方屈曲部と内周部との間で高低差が生じるため、火炎の上昇気流による負圧発生で空気の流通が発生し、二次空気整流体とバーナの間の空隙内に十分な二次空気流が発生し、大火力では火炎長を短縮して火炎をより中央に集中させることができ、低火力では二次空気整流体とバーナの間に火炎が逆流することを防止することができる。
【００１４】
また、枠体の内周部を、二次空気整流体の内周部から空隙を介して内側に設け、かつ二次空気整流体の内周部を上下方向に被覆したことにより、枠体の内周部と二次空気整流体の内周部を非接触状態にして、煮汁が枠体上を流れても、枠体の内周部から直下に落下させることができ、二次空気整流体の内周部への伝播を確実に阻止して、炎口の目詰まりを防止することができる。
【００１５】
また、枠体の内周部を、内側に向かって下方に傾斜させたことにより、煮汁が枠体上を流れても、枠体の内周部で内側に向かった下方傾斜に沿って、煮汁を斜め内向きに流すことができ、二次空気整流体の内周部への伝播を確実に阻止して、炎口の目詰まりを防止することができる。
【００１６】
また、枠体に被加熱物を載置する五徳を一体で設けたことにより、枠体の手入れ、洗浄のため、使用者が一旦枠体をはずしたのちに枠体を装着し忘れることがあっても、その状態で鍋などを載置しても安定な載置が極めて困難となり、使用者に容易に枠体の装着忘れを知らしめることができる。したがって、枠体と五徳を別体で構成した場合に比べ、枠体が未装着状態になることをなくすことができ、枠体の未装着によって発生する、天板の開口端部と二次空気整流体の内周部の内側に至る領域に煮汁が侵入するような事態を防止することができる。
【００１７】
さらに、バーナは、斜め上向きに傾斜させた燃焼面を構成し、燃焼面に上下方向に縦長に開口するスリット状炎口を列設したことにより、各スリット状炎口の間を上下の二次空気、特に下部の二次空気が上昇気流として拡散しやすくなり、そのため燃焼が促進されて火炎長が短縮される。また、火炎は斜め上向き方向かつ中央に向かって噴出するため、対向する火炎同士の不必要な干渉を抑制することができ、燃焼面の温度上昇も抑制できる。さらに、煮こぼれによって生じる煮汁の流れ方向とスリット状炎口の縦長の開口方向が平行となるため、万一煮汁が傾斜面に伝播しても、炎口内に侵入する確率は低下し、炎口の目詰まりを防止することができる。
【００１８】
さらにまた、バーナは、上面部を外側に向かって斜め下向きに傾斜させたことにより、煮汁がバーナの上面に落下しても、煮汁は上面部の下向きの傾斜に沿って外側に流出し、炎口内に侵入する確率は低下し、炎口の目詰まりを防止することができる。
【００１９】
【実施例】
以下、本発明の実施例について図面を用いて説明する。
【００２０】
（実施例１）
本発明の実施例１について図１を参照して説明する。図１は、本実施例のコンロの部分縦断面図である。図において、天板１の開口部２の周囲に、複数の五徳爪３からなる五徳４を一体で構成した環状の枠体５を設置し、開口部２の下方には、環状のバーナ６を設置している。バーナ６の内周側の上部を約７５°程度上向きに傾斜させた燃焼面７には、スリット幅約０．５５〜０．６５ｍｍで上下方向に縦長に開口するスリット状炎口８を設け、バーナ６の上方には、空隙９を介して二次空気整流体１０を隔設している。二次空気整流体１０は、その外周側から内周側に向かって下方傾斜部１１から上方傾斜部１２に至る変曲部１３を構成した整流部１４を備えている。二次空気整流体１０の内周部１５は、枠体５の内周部１６より大きな開口径で構成し、隙間１７を介して非接触の状態で枠体５の内周部１６に被覆されている。このように、枠体５は、天板１の開口端部１８と二次空気整流体１０の内周部１５の内側に至る領域を上方から被覆する構成となっており、さらに、枠体５の内周部１６は中央内側に向かって下方に傾斜させている。また、バーナ６の下方には、バーナ６を載置するバーナ台１９が外気と連通する空気通路２０を介して設けられている。
【００２１】
バーナ６のスリット状炎口８は、複数の長スリット２１からなる長スリット炎口群２２の間に短スリット炎口群２３を交互に配置した構成である。また、バーナ６はＳＵＳ３０４、ＳＵＳ３１６、ＳＵＳ３２１等のオーステナイト系ステンレス、またはＳＵＳ４３０、ＳＵＳ４３６等のフェライト系ステンレスといった耐熱耐食性に優れた板金材料を用いている。
【００２２】
一方、バーナ台１９の中央部は開口形状となっており、この開口部の周端部に汁受皿２４の周縁部が載置されている。汁受皿２４は、バーナ６の内径、二次空気整流体１０の内周部１５の直径、および枠体５の内周部１６の直径のうち、これらの最小寸法よりも小さい外径で構成されており、バーナ６の内側空間を通過させて天板１の外部へ取出し可能としている。
【００２３】
次に動作、作用について説明すると、燃料予混合ガスがバーナ６内に導入されると、スリット状炎口８はスリット幅０．５５〜０．６５ｍｍ程度の細スリットで構成しているので、コンロ用バーナで通常設定される一次空気比の４０〜５０％よりも高一次空気比（例えば６０〜８０％）でも逆火しにくくなっており、ちなみに、バーナ６は耐熱耐食性に優れたステンレス板などで構成することにより、スリット状炎口８の幅は、通常は板厚の０．８〜１．２倍の範囲でプレス加工が可能であり、板厚によって炎口形状の選択の自由度を拡大させることができる。このため、水素と空気の混合物などのように燃焼速度の速い燃料の場合でも、バーナ６の板厚とスリット状炎口８の幅を最適化することが容易である。
【００２４】
本発明の場合、板厚０．５〜０．６ｍｍのステンレス鋼板を用い、一次空気比を６５〜７０％に設定している。このように、高一次空気比の燃料予混合ガスを導入でき、バーナ６のスリット状炎口８で中央に向かって形成される斜め上向きの火炎２５は、短炎化されて対向する火炎２５同士の干渉が少なく、燃焼面７の上方への放熱も良好になって燃焼面７の温度上昇を抑制することができる。この時、二次空気整流体１０とバーナ６の間の空隙９には、火炎２５の上昇気流による負圧の発生で、空隙９内に火炎２５に向かう上部の二次空気流２６が発生するが、二次空気整流体１０は、外周から内周方向に下方傾斜部１１から上方傾斜部１２に変曲する整流部１４を構成したため、下方傾斜部１１を通過する二次空気流２６が下向きの傾向をもって流入するので、火炎２５の上向き化を抑えながら火炎２５を中央に集中させ、しかるのち変曲部１３を経て上方傾斜部１２によって火炎２５を中央に向けて上向き化させる。
【００２５】
一方、バーナ６の下方では、バーナ台１９の空気通路２０を通じて、火炎２５の上昇気流によって発生した下部の二次空気流２７が発生するが、炎口を上下方向に縦長のスリット状炎口８で構成したことにより、隣り合う縦長のスリットの間に空気通路２０からの下部の二次空気流２７を効果的に流入させることができる。さらに、隣り合う長スリット炎口群１６の間に短スリット炎口群２３を配置した構成により、大火力の場合は、短スリット炎口群２３が長スリット炎口群２２で形成される火炎２５同士の干渉を抑制して火炎２５を分割して短炎化を実現するとともに、長スリット炎口群２２の間の火移りを良好にできる。
【００２６】
また、小火力の場合は、燃料予混合ガス量が減少することにより、スリット状炎口８からの噴出速度が低下して火炎２５が燃焼面７の近傍で上方を向きやすくなるが、二次空気整流体１０の下方傾斜部１１によって下向きの傾向を持って流入する上部の二次空気流２６によって、火炎２５が枠体５の内周部１６と二次空気整流体１０の内周部１５との間の隙間１７に侵入することを防止し、コンロ本体内が過熱することを防止している。このようにして、上部の二次空気流２６と下部の二次空気流２７が、火炎２５中に効果的に拡散して燃焼が促進される。
【００２７】
以上のように大火力においては、短炎化された火炎２５が中央に集中して高い火炎温度を保持することができ、小火力においては、火炎２５がコンロ本体内に逆流することを防止できるため、幅広い燃焼量可変範囲を有し、かつバーナ６と鍋との距離を接近させてもＣＯの排出が少くでき、高い熱効率を確保することができる。
【００２８】
一方、枠体５の内周部１６は中央内側に向かって下方に傾斜させ、隙間１７を介して非接触の状態で二次空気整流体１０の内周部１５を被覆しているため、調理中に煮こぼれが発生した時に、枠体５の内周部１６で内側に向かった下方傾斜に沿って煮汁を斜め内向きに流し、枠体５の内周部１６の下端部からその直下に落下させることができ、二次空気整流体１０の内周部１５への伝播を確実に阻止して、煮汁がバーナ６のスリット状炎口８内に侵入する事態を防止して、炎口の目詰まりを減少させることができる。さらに、煮こぼれによって生じる煮汁の流れ方向とスリット状炎口８の縦長の開口方向が平行となるため、万一煮汁が傾斜面７に伝播しても、スリット状炎口８内に侵入する確率は低下し、スリット状炎口８の目詰まりを防止することができ、仮に、スリット状炎口が目詰まりした場合でも、バーナ６の燃焼面７は板厚が１ｍｍに満たない板金材料で構成されているので、容易にスリット状炎口８を正常に復帰させることが可能である。
【００２９】
さらに、枠体５に五徳４を一体で設けたことにより、枠体５の手入れ、洗浄のため、使用者が一旦枠体５をはずしたのちに枠体５を装着し忘れることがあっても、その状態で鍋などを載置しても安定な載置が極めて困難となり、使用者に容易に枠体５の装着忘れを知らしめることができる。したがって、枠体５と五徳４を別体で構成した場合に比べ、枠体５が未装着状態になることをなくすことができ、枠体５の未装着によって発生する、天板１の開口端部１８と二次空気整流体１０の内周部１５の内側に至る領域に煮汁が侵入するような事態を防止することができる。以上のように、高い熱効率を確保しかつ手入れ性の良好なコンロを実現することができる。
【００３０】
（実施例２）
本発明の実施例２について、図２を参照して説明する。図２は、本実施例のコンロの部分縦断面図である。図において、実施例１と異なる点は、二次空気整流体３０は、下方傾斜部３１から上方傾斜部３２へ変曲する変曲部３３設けた整流部３４を構成し、変曲部３３をバーナ６のスリット状炎口８の鉛直上より内方の位置に設け、二次空気整流体３０の内周部３５を、枠体５の内周部１６により隙間１７を介して被覆させたところである。なお、実施例１と同一符号のものは同一構造を有し、説明は省略する。
【００３１】
次に動作、作用について説明すると、実施例１と同様に、二次空気整流体３０とバーナ６の間に流入する上部の二次空気流３４は、火炎２５を中央に集中させて高い熱効率を確保する効果を有している。また、煮こぼれによる煮汁が、万一枠体５の内周部１６から二次空気整流体３０の内周部３５に伝播しても、変曲部３３よりその外周側に伝播することはなく、変曲部３３から直下に落下させることができる。したがって、煮汁はスリット状炎口８よりも内側の空間を落下するため、スリット状炎口８内に煮汁が侵入することがなく、スリット状炎口８の目詰まりを防止することができる。したがって、高い熱効率を確保しかつ手入れ性の良好なコンロを実現することができる。
【００３２】
（実施例３）
本発明の実施例３について、図３を参照して説明する。図３は本実施例のコンロの部分縦断面図である。図において、実施例１と異なる点は、二次空気整流体４０は、外周部に下方に屈曲させた下方屈曲部４１を構成したところである。なお、実施例１と同一符号のものは同一構造を有し、説明は省略する。
【００３３】
次に動作、作用について説明すると、二次空気整流体４０の外周部の下方屈曲部４１と内周部４２との間で高低差が生じるため、バーナ６で形成される火炎２５の上昇気流による負圧発生で空気の流通が発生し、二次空気整流体４０とバーナ６の間の空隙９内に十分な上部の二次空気流４３が発生し、大火力では火炎長を短縮して火炎２５をより中央に集中させることができ、低火力では二次空気整流体４０とバーナ６の間に火炎２５が逆流することを防止することができる。したがって、熱効率、手入れ性に加え、幅広い燃焼量可変範囲を実現するコンロを提供することができる。
【００３４】
（実施例４）
本発明の実施例４について、図４を参照して説明する。図４は本実施例のコンロの部分縦断面図である。図において、実施例１と異なる点は、バーナ５０の上面部５１を外側に向かって斜め下向きに傾斜させたところである。なお、実施例１と同一符号のものは同一構造を有し、説明は省略する。
【００３５】
次に動作、作用について説明すると、バーナ５０の上面部５１を外側に向かって斜め下向きに傾斜させたことにより、煮汁がバーナ５０の上面部５１に落下しても、煮汁は上面部５１の下向きの傾斜に沿って外側に流出し、スリット状炎口５２内に侵入する確率は低下し、スリット状炎口５２の目詰まりを防止することができる。したがって、高い熱効率を確保しかつ手入れ性の良好なコンロを実現することができる。
【００３６】
【発明の効果】
以上のように、本発明によれば、天板の開口部内に、中央に向い開口する複数の炎口を列設した環状のバーナの上方に、外周から内周方向に、下方傾斜部から上方傾斜部に変曲する環状の二次空気整流体を設け、天板の開口部端と二次空気整流体の内周部端との間隙を枠体によって遮蔽したことにより、バーナの上方からの二次空気流によって火炎を効果的に中央に集中させて、鍋の受熱面積を拡大することができる。
【図面の簡単な説明】
【図１】本発明の実施例１におけるコンロの部分縦断面図
【図２】本発明の実施例２におけるコンロの部分縦断面図
【図３】本発明の実施例３におけるコンロの部分縦断面図
【図４】本発明の実施例４におけるコンロの部分縦断面図
【図５】従来のコンロの部分縦断面図
【符号の説明】
１  天板
２  開口部
４  五徳
５  枠体
６、５０  バーナ
７  燃焼面
８、５２  スリット状炎口
１０、３０、４０  二次空気整流体
１１、３１  下方傾斜部
１２、３２  上方傾斜部
１３、３３  変曲部
１４、３４  整流部
１５、３５、４２  二次空気整流体の内周部
１６  枠体の内周部
１７  隙間
１８  開口端部
４１  下方屈曲部
５１  上面部
【図１】
2004309052.tif 000003
【図２】
2004309052.tif 000004
【図３】
2004309052.tif 000005
【図４】
2004309052.tif 000006
【図５】
2004309052.tif 000007